(57)【要約】【課題】記録中断後の記録再開時の立ち上げを早くしながら、記録品質を維持することができるようにする光ディスク装置を提供する。【解決手段】再生中にＬＤ２０のパワーの再生制御系と記録制御系とを交互に用いて再生パワーを制御し、記録制御系のコンデンサ２８をチャージすることで、フォーカスＯＮ／ＯＦＦさせるタイムロスをなくし、記録開始時に０パワー発光から所望のパワーになるまでの時間よりも早く所望のパワーにすることができる。また入力、出力側のゲイン切替器４２、４３により、再生中は記録制御系の入力ゲインを、記録時と再生時で各制御系の入力レベルを同じにすると共に、記録制御系の出力レベルが再生制御系の出力レベルと同じになるように記録制御系の出力ゲインを切替えることで、コンデンサ２８の電圧が記録中の電圧に近くなり、記録中断後の記録再開時、所望のパワーに近いパワーから書き始めることができ、再開による品質劣化を防ぐことができる。【選択図】　　　　図１
2004110966.tif 000002
【特許請求の範囲】
【請求項１】
光ディスクの記録・再生を行う光ディスク装置であって、発光素子の発光を制御する再生側制御回路と記録側制御回路を有し、発光素子に与える再生パワーと記録パワーの２値のパワーを制御する光ディスク装置において、
再生中に再生側制御回路と記録側制御回路とを交互に切り替えながら再生パワーを制御することを特徴とする光ディスク装置。
【請求項２】
記録中断中の再生時のみ前記各制御回路の切り替えを行うことを特徴とする請求項１記載の光ディスク装置。
【請求項３】
再生中と記録中とで、前記記録側制御回路の入力ゲイン及び出力ゲインを切り替えることを特徴とする請求項１又は２記載の光ディスク装置。
【請求項４】
再生中は、前記記録側制御回路の入力ゲインを、記録時と再生時で各制御回路の入力信号レベルが同じになるように切り替えると共に、記録側制御回路の出力信号レベルが再生側制御回路の出力信号レベルと同じになるように記録側制御回路の出力ゲインを切り替えることを特徴とする請求項３記載の光ディスク装置。
【請求項５】
記録中に前記出力ゲインを、
出力ゲイン＝再生パワー駆動電流／記録パワー駆動電流、
に設定することを特徴とする請求項３又は４記載の光ディスク装置。
【請求項６】
記録中に入力ゲインを、
入力ゲイン＝設定記録パワー／設定再生パワー、
に設定することを特徴とする請求項５記載の光ディスク装置。
【発明の詳細な説明】
【０００１】
【発明の属する技術分野】
本発明は、ＣＤ−Ｒ、ＣＤ−ＲＷのような書き込み可能な光ディスクを記録・再生する光ディスク装置に関し、特に、光ディスクの記録中断後の記録再開時ににおけるレーザ制御に関するものである。
【０００２】
【従来の技術】
今日マルチメディア時代の主役としてＣＤ（Ｃｏｍｐａｃｔ　Ｄｉｓｃの略）は目覚しい普及を遂げている。ＣＤを読み出し専用のメモリＲＯＭ（Ｒｅａｄ　Ｏｎｌｙ　Ｍｅｍｏｒｙ）に応用したＣＤ−ＲＯＭドライブはパソコンに標準搭載されるようになってきた。ＣＤの世界はまだまだ発展を遂げており、一度だけ書き込みが可能なＣＤ−Ｒ（ＣＤ−Ｒｅｃｏｒｄａｂｌｅ）、何度も書き込みが可能なＣＤ−ＲＷ（ＣＤ−Ｒｅｗｒｉｔａｂｌｅ）へとその可能性はとどまることなく進化を遂げている。
【０００３】
前記ＣＤ−ＲやＣＤ−ＲＷディスクにデータを記録する際には、ＣＤのフォーマットに準拠した記録フォーマット、つまりある位置のデータとその前後のデータが並べ替え（インターリーブ）により互いに関係を持ったフォーマットで記録を行うため、記録を途中で中断することなく一気にある単位まで記録を行う必要があった。
【０００４】
そのため、従来より記録を途中で中断、再開できるようにする方法が提案されている。
例えば、記録中断直前に記録されたデータと連続するデータを、既に記録したデータに同期させる手段により、記録中断、再開させた部分のデータに連続性を持たせる方法（例えば、特許文献１）や、記録中断前後でＣＩＲＣ復調によるデータ連続性を維持する書き込み手段を設け、データの終端から正確に書き始めるタイミングを取るチャンネルビットのカウント手段を設けることにより、記録の中断、再開によってもデータの切れ目をなくし、読み出し時のデータの連続性を持たせる方法（例えば、特許文献２）が提案されている。
【０００５】
しかしながら、これらの提案においては、レーザ制御に関する配慮がなされておらず、このまま従来のレーザ制御手段を用いて記録中断と再開を行うと、そのつなぎ目の位置の記録品質が悪くなり、このため、これらの提案方法で記録を行ったディスクを再生すると、記録中断時と再開時とのつなぎ目で、オーディオＣＤの場合はひどい場合は聴感上ノイズが発生したり、あるいはデータを記録したＣＤの場合はひどい場合にはデータ化けを起こす危険性があった。
【０００６】
この問題に対し、本出願人は先に、記録中断後の記録再スタート時、記録再開の直前にフォーカスをオフし、その状態でＬＤを記録パワーで発光させてＡＰＣ制御系内のサンプルホールド回路に所定の電圧を充電することにより、通常の記録再開時に０パワー発光（ＬＤからパワーが出ていない状態）から所望のパワーになるまでの時間よりも早く、所望のパワーに達する方法を提案した（特許文献３）。
【０００７】
【特許文献１】
特開２０００−４０３０２号公報
【特許文献２】
特開平１０−４９９９０号公報
【特許文献３】
特開２００１−３４４７９４号公報
【０００８】
【発明が解決しようとする課題】
しかしながら、上記先願方法は、フォーカスオフさせた後、再度フォーカスオンにするための時間がかかり（秒単位で時間がかかる）、記録速度の高速化競争が進むにつれ、この時間のロスが無視できなくなってきた。
【０００９】
本発明は上記の問題を解決するためのもので、請求項１の発明は、上記のフォーカスオフ→オンのタイムロスを生じることなく、記録中断後の記録再スタート時の記録品質を維持する光ディスク装置を提供することを目的とするものである。
請求項２の発明は、再生時のレーザ発光をより安定させる光ディスク装置を提供することを目的とするものである。
また、請求項１では再生パワー駆動電流と同等の電流からしか記録再開時スタートできないが、請求項３、４の発明は、より実際の記録パワー駆動電流近辺でスタートできるようにする光ディスク装置を提供することを目的とする。
請求項５、６の発明は、請求項３、４において、再生時の記録側制御回路の出力ゲインをより精度良く設定できるようにする光ディスク装置を提供することを目的とする。
【００１０】
【課題を解決するための手段】
上記の目的を達成するために本発明による光ディスク装置は、光ディスクの記録・再生を行う光ディスク装置であって、発光素子の発光を制御する再生側制御回路と記録側制御回路を有し、発光素子に与える再生パワーと記録パワーの２値のパワーを制御する光ディスク装置において、再生中に再生側制御回路と記録側制御回路とを交互に切り替えながら再生パワーを制御することを特徴とするものである。
【００１１】
【発明の実施の形態】
以下、本発明の実施の形態を図面と共に説明する。
図７は本発明の実施の形態による光ディスク装置を示すブロック図である。ここでは、光ディスクとして一般的な一度だけ書き込み可能なＣＤフォーマットに準拠したディスクであるＣＤ−Ｒ（ＣＤ−Ｒｅｃｏｒｄａｂｌｅ）ディスクを用いた場合の記録・再生を行うＣＤ−Ｒドライブの構成を示している。
【００１２】
図７において、光ディスク１はディスク基板上にデータ列をピットと呼ばれる穴の有無で表現し、これにレーザ光を当ててその反射光変化でデータを読み取る。このデータ列はレコードのようにディスク基板上に螺旋状に並べられている。この螺旋状に配された線をトラックと呼んでいる。隣り合うトラック間の距離は１．６ミクロンである。
【００１３】
光ディスク１はスピンドルモータ（Ｓｐｉｎｄｌｅ　Ｍｏｔｏｒ）２により回転駆動される。スピンドルモータ２は、モータドライバ（Ｍｏｔｏｒ　Ｄｒｉｖｅｒ）３とサーボ手段（Ｓｅｒｖｏ）４により一定速度になるように制御される。光ピックアップ（Ｐｉｃｋ　Ｕｐ）５は、発光素子としての半導体レーザ（Ｌａｓｅｒ　Ｄｉｏｄｅ、略してＬＤ）、光学系（レンズ等）、フォーカスアクチュエータ（レーザ光の焦点がディスクに合うようにレンズの位置をディスクと垂直方向に動かす機構）、トラックアクチュエータ（レーザ光の焦点がトラックをトレースするようにディスクの半径方向（スレッジ方向）にレンズを動かす機構）、及び受光素子、ポジションセンサ等を内蔵したもので、レーザ光を光ディスク１に照射する。また、光ピックアップ全体は図示しないシークモータによりスレッジ方向に移動可能である。
【００１４】
これらのフォーカスアクチュエータ、トラックアクチュエータ、シークモータは受光素子、ポジションセンサから得られた信号をもとにモータドライバ３とサーボ手段４によりレーザスポットが目的の場所に位置するように制御される。
【００１５】
データ読み出し時（再生時）には、光ピックアップ５で得られた再生信号はリードアンプ（Ｒｅａｄ　Ａｍｐ）６で増幅され、イコライザ処理や２値化（デジタル化）された後、ＣＤデコーダ（ＣＤ　Ｄｅｃｏｄｅｒ）７に入力されＥＦＭ復調される。ＥＦＭはＥｉｇｈｔ　ｔｏ　Ｆｏｕｒｔｅｅｎ　Ｍｏｄｕｌａｔｉｏｎの略で、光ディスク１には光学的に再生又は記録しやすいように８ｂｉｔデータを１４ｂｉｔのデータに変調したデータが書かれている。
【００１６】
ＥＦＭ復調されたデータは、ＣＤ−ＲＯＭデコーダ１９でデインタリーブ（並べ替え直し）とエラー訂正の処理を受ける。その後このデータはバッファマネージャ（Ｂｕｆｆｅｒ　Ｍａｎａｇｅｒ）８により一旦バッファＲＡＭ（Ｂｕｆｆｅｒ　ＲＡＭ）９に蓄えられ、セクタデータとして揃った段階でＡＴＡＰＩやＳＣＳＩといったインタフェース１０を介してホストコンピュータに一気に送られる。
また、音楽データの場合は、ＣＤデコーダ７から出てきたデータはＤ／Ａコンバータ１１に入力され、アナログのオーディオ信号が取り出される。
【００１７】
データ書き込み時（記録時）には、ＡＴＡＰＩやＳＣＳＩのインタフェース１０を通してホストから送られてきたデータは、バッファマネージャ８により一旦バッファＲＡＭ９に蓄えられる。バッファにある程度データが貯まったところで書き込みを開始するが、その前にレーザスポットを書き込み開始地点に位置させなければならない。この地点はトラックの蛇行により予め光ディスク１に刻まれているウォブル信号により求められる。ウォブル信号にはＡＴＩＰと呼ばれる絶対時間情報が含まれており、ＡＴＩＰデコーダ１２によりこの情報が取り出せる。ＡＴＩＰデコーダ１２が生成する同期信号はＣＤエンコーダ１３に入力され、正確な位置でのデータの書き出しを可能にしている。
【００１８】
バッファＲＡＭ９のデータは、ＣＤ−ＲＯＭエンコーダ１４やＣＤエンコーダ１３でエラー訂正コードの不可やインターリーブ（並べ替え）が行われた後ＥＦＭ変調され、レーザコントロール回路（Ｌａｓｅｒ　Ｃｏｎｔｒｏｌｌｅｒ）１５、光ピックアップ５を介して光ディスク１に記録される。
尚、各ブロックはＣＰＵ１６により制御され、ＣＰＵ１６はＲＯＭ１７、ＲＡＭ１８を用いて制御を行う。
【００１９】
ところで前述したように、光ディスクでは記録フォーマットの性格上、データの書き込み単位がある程度大きなものになる。つまり、従来の光ディスク装置では、トラックやディスク１枚を一回の書き込みで形成する必要があった。前者をＴｒａｃｋ　ａｔ　ｏｎｃｅ、後者をＤｉｓｋ　ａｔ　ｏｎｃｅと称している。
【００２０】
このため、従来の光ディスク装置では、データ書き込み中は一時停止をしないようにしており、ホストから光ディスク装置の書き込み速度以上の転送スピードでデータを送らないと書き込みが中断してしまい、次にデータを書き足すことができなくなって書き込みを失敗してしまう。これをバッファアンダーランという。
【００２１】
一方、ＣＤ−Ｒの高速書き込み化が進み、パソコンのマルチタスク機能を用いて動作させる機会が増えたことにより、バッファアンダーランが発生しやすくなり、大きな問題となっていた。この問題に対し、前記特許文献１，２に開示されるような、記録を途中で中断、再開させるための方法が提案されているが、これらの２つの方法は、前述したようにノイズが発生したり、データ化けを起こす等の問題があった。
【００２２】
次に、この問題に関して図８の従来のレーザ光の制御方式を参照しながら説明する。図８はＬＤからで出射されるパワーが一定になるように制御するＡＰＣ（Ａｕｔｏ　Ｐｏｗｅｒ　Ｃｏｎｔｒｏｌ）回路の一般的な構成を示したもので、ＡＰＣ制御部とＬＤドライバ部とに分かれている。また、図７のＬａｓｅｒ　Ｃｏｎｔｒｏｌｌｅｒ部１５の詳細な構成、及び光ピックアップ５に搭載されたＬＤ（Ｌａｓｅｒ　Ｄｉｏｄｅ）２０と、このＬＤ２０の出射パワーをモニタするための受光素子であるＰＤ（Ｐｈｏｔｏ　Ｄｅｔｅｃｔｏｒ）２１とを含むものである。
【００２３】
図８において、ＬＤ２０から出射されたレーザ光の一部はパワーモニタであるＰＤ２１に入射される。このＰＤ２１は図９に示すように、入射されるレーザ光のパワーに比例した電流を出力する。
【００２４】
ＣＤ−Ｒに記録を行う際には、ＬＤ２０からは第１のパワーと、この第１のパワーよりも高い第２のパワーとが繰り返し出射される。第１のパワーと第２のパワーの出射される時間は、記録するＥＦＭ信号に基づくものである。つまり、出射される時間は、ある単位をＴとすると、Ｔの３から１１のうちの整数倍された長さである。実際には記録品質をよくするために、上記３から１１のうちの整数倍の時間長を若干短くあるいは若干長くしたりするが、本発明の主旨とは関係ないので、ここでは説明は省略する。
【００２５】
第１のパワーは、ディスクから情報を読み出す再生時のパワー（以下Ｐｒ）であり、第２のパワーは、ディスクの記録膜である有機色素に十分な熱を与えディスクに良好なピットを形成する記録パワー（以下Ｐｗ）である。
【００２６】
ＬＤ２０から出射される発光波形の例を図１０に示す。図において、時刻ｔライトスタートより前がディスクからデータを読み出す時の発光波形、時刻ｔライトスタートより後がディスクにデータを書き込む時の発光波形である。
図示のように、データを読み出す時は、ＬＤ２０からは１ｍＷ以下（より具体的には０．４ｍＷ等）のＰｒが一定光量にＡＰＣ制御されて出力される。
一方、記録時にはＰｒとＰｗの発光が繰り返される。Ｐｗは一般に数ｍＷから数１０ｍＷである（具体的には５ｍＷから３０ｍＷの間で実際に試し書き込みを行って記録特性が良いパワーが選ばれる）。ＰｗもＰｒと同様にＡＰＣ制御され一定光量が保たれる。
【００２７】
次に、ＡＰＣ制御について説明する。
図８において、まずＰＤ２１に入射された光は光電変換されて光量に比例した電流の形で出力される。つまり、ＬＤ２０から出射されるレーザ光が図１０のような場合、図１０の縦軸を電流に置き換えたような波形が出力される。次に、Ｉ／Ｖ変換回路２２により電流を電圧に変換する。
【００２８】
この出力電圧の再生パワーに対応したものをＶ（Ｐｒ）、記録パワーに対応したものをＶ（Ｐｗ）とする。この出力電圧は、再生時はＶ（Ｐｒ）レベルのみの信号であるが、記録時はＶ（Ｐｒ）とＶ（Ｐｗ）が交互に変化する信号のため、Ｓ／Ｈ（サンプルホールド）回路Ｒ２３とＳ／Ｈ回路Ｗ２４によってＶ（Ｐｒ）とＶ（Ｐｗ）とに分離される。
【００２９】
ここで、サンプル信号Ｒは、再生時に常にＳ／Ｈ回路Ｒ２３内のＳＷ（スイッチ）２５をＯＮする信号であり、記録時には記録時の再生パワーレベルが出射されている期間、あるいはそれより若干短い期間のみ上記ＳＷ２５をＯＮし、記録パワーレベルが出射されている期間は上記ＳＷ２５をＯＦＦすることにより、Ｓ／Ｈ回路Ｒ２３内のコンデンサ２６より再生パワーレベルに対応した電圧Ｖ（Ｐｒ）を取り出すようにする。
【００３０】
また、サンプル信号Ｗは、再生時に常にＳ／Ｈ回路Ｗ２４内のＳＷ２７をＯＦＦする信号であり、記録時には記録時の記録パワーレベルが出射されている期間、あるいはそれより若干短い期間のみ上記ＳＷ２７をＯＮし、記録時の再生パワーレベルが出射されている期間は上記ＳＷ２４をＯＦＦすることにより、Ｓ／Ｈ回路Ｗ２４内のコンデンサ２８より記録パワーレベルに対応した電圧Ｖ（Ｐｗ）を取り出すようにする。
このサンプルホールドで分離されたＶ（Ｐｒ）とＶ（Ｐｗ）は誤差増幅器Ｒ２９及び誤差増幅器Ｗ３０に入力される。
【００３１】
誤差増幅器Ｒ２９は、Ｖ（Ｐｒ）と基準電圧Ｒ（以下、ＶｒｅｆＲ）との電圧差をフィードバック抵抗３１で決定されるゲインＲで増幅した電圧を出力する。この出力をＶｒとすると、
Ｖｒ＝［ＶｒｅｆＲ−Ｖ（Ｐｒ）］×ＧａｉｎＲ……（１）
また、誤差増幅器Ｒ２９は、上記フィードバック抵抗３１とこれと並列に接続されたコンデンサ３２とによりループフィルタを形成し、Ｐｒの制御速度、つまり制御時定数を決定する。
【００３２】
一方、誤差増幅器Ｗ３０は、Ｖ（Ｐｗ）と基準電圧Ｗ（以下ＶｒｅｆＷ）との電圧差をフィードバック抵抗３３で決定されるゲインＷで増幅した電圧を出力する。この出力をＶｗとすると、
Ｖｗ＝［ＶｒｅｆＷ−Ｖ（Ｐｗ）］×ＧａｉｎＷ……（２）
また、誤差増幅器Ｗ３０は、上記フィードバック抵抗３３とこれと並列に接続されたコンデンサ３４とによりループフィルタを形成し、Ｐｗの制御速度、つまり制御時定数を決定する。
【００３３】
一般に誤差増幅器のゲインは非常に大きくとるので、ＶｒｅｆＲとＶ（Ｐｒ）がほぼ等しく、また、ＶｒｅｆＷとＶ（Ｐｗ）がほぼ等しくなるようにフィードバック制御がかけられる。
【００３４】
誤差増幅器Ｒ３０の出力はＶ／Ｉ変換器Ｒ３５により電流に変換され、電流増幅器Ｒ３６で電流増幅された後、ＬＤ　ＯＮ信号で制御されるＳＷ３７を介して電流加算器３８に入力される。また、誤差増幅器Ｗ３０の出力はＶ／Ｉ変換器Ｗ３９により電流に変換され、電流増幅器Ｗ４０で電流増幅された後、ライトパルス重畳信号で制御されるＳＷ４１を介して電流加算器３８に入力される。
電流加算器３８で加算された駆動電流はＬＤ２０に流れ、ＬＤ２０からレーザ光が出射される。この出射光がＰＤ２１に入射されることにより、誤差増幅器２９、３０を中心にフィードバックループが形成される。
【００３５】
以上のように構成されたフィードバックループによって、基準電圧により決定される一定パワーがＬＤ２０から出射されることになる。実際にはこの基準電圧と出射パワーとの関係を製造工程などにおいて求めておく。あるいは決められたた基準電圧と出射パワーとの関係になるように調整される。このように、ＬＤ２０から出射されるパワーが一定になるように制御することをＡＰＣという。ＬＤ２０から出射するパワーを可変したい場合は、基準電圧を可変することにより実現できる。
【００３６】
尚、電流増幅器Ｒ３６の出力側に挿入されたＳＷ３７は、ＬＤ２０からレーザ光を出射する際にはＯＮされ、電流増幅器Ｗ４０の出力側に挿入されたＳＷ４１は、記録時の記録パワーレベルの期間のみＳＷ４１をＯＮするライトパルス重畳信号によりコントロールされる。
各スイッチ（ＳＷ）の制御信号、つまりサンプル信号Ｒ、サンプル信号Ｗ、ＬＤ　ＯＮ信号、ライトパルス重畳信号は図７のＣＤエンコーダ１３から出力される信号である。
【００３７】
以上により定常的な発光状態に関して説明したが、次に、ＬＤからレーザ光が出射されていない状態から再生パワーレベルが出射される場合、及び再生パワーレベルのみの出射状態から、記録時の出射波形が出射される場合に関して説明する。
まず、ＬＤからレーザ光が出射されていない状態ではＶ（Ｐｒ）＝０である。（１）式より、
Ｖｒ＝ＶｒｅｆＲ×ＧａｉｎＲ……（３）
であるが、ＧａｉｎＲは一般に非常に大きなものにするので、Ｖｒは非常に大きな値となっている。ここで、ＬＤドライバ部のＬＤ　ＯＮ信号でスイッチ３７がＯＮされると、非常に大きな電流がＬＤに流れてしまう。これはディスクあるいはレーザに悪影響を与えるため、未発光時はＶｒｅｆＲを０にしておく。これによりＶｒは０に保たれる。
【００３８】
次に、再生パワーで発光を開始する場合には、ＶｒｅｆＲを０から所定の値に戻し、上記ＬＤ　ＯＮ信号でスイッチ３７をＯＮする。するとＯＮした瞬間はＶ（Ｐｒ）＝０なのでＶｒは誤差増幅器Ｒ２９で構成されたループフィルタの時定数で０から徐々に増加する。この増加につれてそれに比例した電流がＬＤに流れるため、徐々にＶ（Ｐｒ）が増加し、いずれあるＶｒレベル［Ｖｒ（ＶｒｅｆＲ）］になるまで上昇し安定する。この様子を図１１に示す。
【００３９】
同様に再生パワーレベルのみの出射状態から、記録時の出射波形が出射される場合についても、Ｓ／Ｈ回路Ｗ２４のスイッチ２７のＯＮ／ＯＦＦの繰り返しやＬＤドライバ部のライトパルス重畳信号によるＯＮ／ＯＦＦの繰り返しはあるが、同様にＶｗは０から徐々に誤差増幅器Ｗ３０の時定数で増加し、いずれあるＶｗレベル［Ｖｗ（ＶｒｅｆＷ）］になるまで上昇し安定する。この様子を図１２に示す。
【００４０】
一般的には図１１、図１２の電圧上昇部分の上昇時間を決定するループフィルタの時定数は、上昇時は早くし、その後安定した後はノイズの影響などを受けないように時定数を遅くするように切り替える。これは再生発光開始時は特に上昇が遅くてもなんら問題はないが、再生発光から記録発光に切り替わった際には、この電圧がＬＤの出力電流に比例するため、早く整定しないと書き出しの記録品質が長い間悪くなってしまうためである。
【００４１】
このＡＰＣ制御のループフィルタの時定数を早くし、高速に制御を行うことを高速ＡＰＣという。しかしながら高速化にも限界がある。これはＰＤの出力をサンプルホールドで分離しているためであり、通常サンプル信号間隔の１０倍以上の時定数に設定してやる必要があるためである。
一般的には書き出しのごく短い時間であれば多少の劣化が許されるようにディスクフォーマットも考慮されているが、記録途中での記録品質の劣化は許されない。つまり、前記特許文献１、２の方法を用いて記録中断、再開を行う場合には、その劣化は許されないわけである。
しかしながら、上述した従来の構成と制御手法では、記録中断後、記録再開した場所、つまりデータのつなぎ目で記録品質が劣化してしまうことになる。
【００４２】
この問題に対して前記特許文献３においては、図１３に示す方法が行われている。
図１３において、記録直前にフォーカスをオフし、記録パワーで発光させてＡＰＣを行い、記録パワー制御系のコンデンサをチャージすることにより、図１４に示すように記録再開時には、設定パワーに近いパワーレベルから記録が再開されるので、従来より十分早く所望のパワーに達することができるレーザ光パワー制御が行われる。
尚、フォーカスをオフさせるのは、記録パワーで発光させるため、フォーカスオン状態ではディスクに記録されてしまうためである。
【００４３】
しかしながら、図１３のシーケンスにおいて、フォーカスをオフさせてから、記録パワー発光、記録パワー発光停止、フォーカスオン、記録再開までには数秒間もかかってしまい、昨今の記録スピードの高速化の競争の中では、この時間が致命的な欠陥となってしまう。
【００４４】
従って、本実施の形態は、この時間のロスを低減し、記録再開時には、より所望のパワーに近い記録パワーからスタートし、より早く所望のパワーに到達させることを目的とするものである。
【００４５】
図１は請求項１、３、４の発明による第１の実施の形態を示すブロック図であり、図８と対応する部分には同一符号を付して重複する説明は省略する。
図１においては、記録パワー制御系の入力段と出力段にそれぞれゲイン切替器４２、４３を新規に設けて、入力ゲイン切替信号及び出力ゲイン切替信号によりゲイン切り替えを行うようにしている（請求項３、４に対応）。
【００４６】
また、図１においては、図３の従来のサンプル信号Ｒ、Ｗとは異なる図４のように再生時に交互に切り替わるサンプル信号Ｒ、Ｗが与えられている（請求項１に対応）。即ち、図３の従来のサンプル信号Ｒ、Ｗは、再生時にはそれぞれＨ、Ｌで一定であるが、図４の本実施の形態によるサンプル信号Ｒ、Ｗは、再生時にＨ、Ｌが交互に切り替わるものとなっている。
【００４７】
これを実現するために本実施の形態では、図２のようにＣＤエンコーダ１３で生成される通常のサンプリング信号と、タイマ出力回路Ｒ４４、タイマ出力回路Ｒ４５の出力とを、Ｗｒｉｔｅ開始時にＣＤエンコーダ１３より出力されるＷｒｉｔｅＧａｔｅ信号により制御されるスイッチ４６、４７で切り替えるようにしている。
【００４８】
本実施の形態によれば、図２、図４の構成により、再生中に再生パワー制御系と記録パワー制御系とを交互に使用し、再生パワーを制御することにより、記録パワー制御系のコンデンサ２８をチャージすることで、フォーカスＯＮ／ＯＦＦさせるタイムロスなくし、記録スタート時に０パワー発光（ＬＤからパワーが出ていない状態）から所望のパワーになるまでの時間よりも早く、所望のパワーに到達させることができる。
【００４９】
また、上記の場合、再生パワー駆動電流と同等の電流からしか、記録再開スタートできないが、図１のゲイン切替器４２，４３を設けた構成により、より実際の記録パワー駆動電流近辺でスタートできる。即ち、再生中は、記録パワー制御系の入力ゲインを、記録時と再生時で制御系の入力信号レベルが同じになるように切り替えると共に、記録パワー制御系の出力信号レベルが再生パワー制御系の出力信号レベルと同じになるように記録パワー制御系の出力ゲインを切り替えることにより、記録パワー制御系のコンデンサ２８にチャージされる電圧が記録中の電圧に近いものとなり、このため、記録中断後の再書き込みスタート時、所望のパワーに近いパワーから書き始めることができる。従って、記録中断、再開による記録品質の劣化を防ぐことができる。
【００５０】
図５は請求項２の発明に対応する第２の実施の形態を示すもので、図２と対応する部分には同一符号を付して重複する説明は省略する。
再生側の制御回路と記録側の制御回路を交互に切り替えるよりも、再生側の制御回路のみで制御している場合の方がレーザ発光自体は安定している。従って、高速でデータ再生中など、読み取り性能を考える場合は、情報読み出し時には交互に切り替えるよりは再生側の制御回路のみで制御した方が望ましい。
【００５１】
このために本実施の形態は、図２のようにＣＰＵ１６及びＡＮＤ回路４８，４９により、前記ＷｒｉｔｅＧａｔｅ信号を、記録中断中のみゲートするようにしたものである。
これにより、通常の再生時は従来のエンコーダ出力がＳ／Ｈ回路２３，２４に入力されるので、再生時の再生パワー制御系のみを制御することができる。
【００５２】
図６は請求項５、６の発明による第３の実施の形態を示すもので、図１と対応する部分には同一符号を付して重複する説明は省略する。
本実施の形態は、請求項３の発明において、再生時の記録パワー制御系の出力ゲインをより精度良く設定することを目的とする
【００５３】
図４において、ゲイン切替器４２，４３として電圧入力でゲインが制御可能な公知の電圧制御増幅器等を用いている。また、入力ゲイン切替器４２の出力とＩ／Ｖ変換器２２のスルー出力とを切り替えるスイッチ５０を設けると共に、出力ゲイン切替器４３の出力と誤差増幅器Ｗ３０のスルー出力とを切り替えるスイッチ５１を設けている。スイッチ５０，５１は、前記ＷｒｉｔｅＧａｔｅ信号により制御される。
【００５４】
また、比較器５２を設けて、誤差増幅器Ｒ２９の出力（以下、積分器Ｒ出力と言う）と、誤差増幅器Ｗ３０の出力を出力ゲイン切り替え器４３を通した出力（以下、積分器Ｗ出力と言う）とを比較する。この比較出力に基づいてＣＰＵ１６は、Ｄ／Ａ変換器５３、５４を介して各ゲイン切替器４２，４３を制御するようになされている。
【００５５】
上記構成において、記録時には、再生パワー制御系の積分器Ｒ出力と、記録パワー制御系の積分器Ｗ出力とを比較し、両者が等しくなるように出力ゲイン切替器４３のゲインをＣＰＵ１６とＤ／Ａ変換器５４で制御する。即ち、
出力ゲイン切替器４３のゲイン＝積分器出力Ｒ／積分器出力Ｗ……（４）
と決定し保持する。そして、記録時にはスイッチ５１をＷ側に切り替えて、出力ゲイン切替器４３をスルーする系をＶ／Ｉ変換器３９に出力する。再生時にはスイッチ５１をＲ側に切り替えて、上記記録時に決定されてゲインを保持した出力ゲイン切替器４３に接続する。
【００５６】
さらに、
入力ゲイン切替器４２のゲイン＝基準電圧Ｗ／基準電圧Ｒ……（５）
となるようにＣＰＵ１６とＤ／Ａ変換器５３によりゲインを設定する。そして、再生時には、入力ゲイン切替器４２を通る経路、記録時には入力ゲイン切替器４３を通らない経路にスイッチ５０をＷｒｉｔｅＧａｔｅ信号で切り替えることにより、再生時に、記録パワー制御系のＳ／Ｗ回路Ｗ２４及び誤差増幅器Ｗ３０を記録時と同様な入出力信号で動作させることができる。
【００５７】
このため、記録中断後の再記録スタート時、ほぼ直前の記録パワー制御時の入出力電圧で記録が開始可能となり、直前の記録とほぼ同一の記録パワーで記録を再開できる。従って、所望のパワーとなるまでの時間を短くして、記録中断・再開による記録品質の劣化を防ぐことができる。
【００５８】
【発明の効果】
請求項１の発明によれば、再生中に再生側制御回路と記録側制御回路とを交互に使用し、再生パワーを制御することにより、フォーカスオフ→オンのタイムロスを生じることなく、記録中断後の記録再スタート時の記録品質を維持することができる。
【００５９】
請求項２の発明によれば、再生時には、前記の交互に切り替えることをしないようにしたので、請求項１の装置において高速再生時などに読み出し性能を維持することができる。
【００６０】
請求項３、４の発明によれば、記録中断後の再書き込みスタート時、所望のパワーに近いパワーから書き始めることができ、従って、記録中断、再開による記録品質の劣化を防ぐことができる。
【００６１】
請求項５、６の発明によれば、請求項１，２において、直前記録の記録側制御回路のコンデンサにチャージされている電圧を維持できるので、より所望のパワーに近いパワーから記録を再開することができる。
【図面の簡単な説明】
【図１】本発明の第１の実施の形態による光ディスク装置のＡＰＣ制御回路を示す構成図である。
【図２】本発明の第１の実施の形態による要部の構成を示すブロック図である。
【図３】従来のレーザ発光波形とサンプリンル信号を示すタイミングチャートである。
【図４】本発明の第１の実施の形態によるレーザ発光波形とサンプリンル信号を示すタイミングチャートである。
【図５】本発明の第２の実施の形態による要部の構成を示すブロック図である。
【図６】本発明の第３の実施の形態による要部の構成を示すブロック図である。
【図７】本発明の実施の形態による光ディスク装置を示すブロック図である。
【図８】従来の光ディスク装置のＡＰＣ制御回路を示す構成図である。
【図９】ＰＤの入力光量と出力電流の関係を示すグラフである。
【図１０】再生時と記録時におけるレーザ光を示すタイミングチャートである。
【図１１】再生時のＡＰＣ制御回路の誤差増幅器の出力電圧を示すグラフである。
【図１２】記録時のＡＰＣ制御回路の誤差増幅器の出力電圧を示すグラフである。
【図１３】従来の光ディスク装置の動作を示すフローチャートである。
【図１４】従来の光ディスク装置の記録時のＡＰＣ制御回路の動作を示すグラフである。
【符号の説明】
１　光ディスク
５　光ピックアップ
１５　レーザコントローラ
１６　ＣＰＵ
２０　ＬＤ
２１　ＰＤ
２３　サンプルホールド回路Ｒ
２４　サンプルホールド回路Ｗ
２８　コンデンサ
２９　誤差増幅器Ｒ
３０　誤差増幅器Ｗ
４２　入力ゲイン切替器
４３　出力ゲイン切替器
４４　タイマ出力回路Ｒ
４５　タイマ出力回路Ｗ
４６、４７　スイッチ
４８、４９　ＡＮＤ回路
５０、５１　スイッチ
５２　比較器
【図１】
2004110966.tif 000003
【図２】
2004110966.tif 000004
【図３】
2004110966.tif 000005
【図４】
2004110966.tif 000006
【図５】
2004110966.tif 000007
【図６】
2004110966.tif 000008
【図７】
2004110966.tif 000009
【図８】
2004110966.tif 000010
【図９】
2004110966.tif 000011
【図１０】
2004110966.tif 000012
【図１１】
2004110966.tif 000013
【図１２】
2004110966.tif 000014
【図１３】
2004110966.tif 000015
【図１４】
2004110966.tif 000016